(57)【要約】【課題】システム及びスクリーンユニットにおいて、簡便かつ安価な方法で室内の気流の流れをコントロールして情報処理装置を効率的に冷却すること。【解決手段】吸気口５ａを備えた第１の情報処理装置５と、排気口６ｂを備えた第２の情報処理装置６と、第１の情報処理装置５と第２の情報処理装置６との間に展開され、一方の表面３１ａが排気口６ｂに対向し、他方の表面３１ｂが吸気口５ａに対向したスクリーン部材３１と、スクリーン部材３１を収納する収納部３２とを有するシステムによる。【選択図】図６
2014119961.tif 000002
【特許請求の範囲】
【請求項１】
吸気口を備えた第１の情報処理装置と、
排気口を備えた第２の情報処理装置と、
前記第１の情報処理装置と前記第２の情報処理装置との間に展開され、一方の表面が前記排気口に対向し、他方の表面が前記吸気口に対向したスクリーン部材と、
前記スクリーン部材を収納する収納部と、
を有するシステム。
【請求項２】
前記スクリーン部材が、前記第１の情報処理装置の上部から斜め下に展開されたことを特徴とする請求項１に記載のシステム。
【請求項３】
前記収納部が前記第１の情報処理装置の上部に固定され、
前記スクリーン部材が、前記第２の情報処理装置の下部と前記床のいずれかに留められた端部を有することを特徴とする請求項２に記載のシステム。
【請求項４】
前記収納部は、前記他方の表面を内側にして前記スクリーン部材を巻き取ることを特徴とする請求項３に記載のシステム。
【請求項５】
前記スクリーン部材が、前記第２の情報処理装置の上部から斜め下に展開されたことを特徴とする請求項１に記載のシステム。
【請求項６】
前記収納部が前記第２の情報処理装置の上部に固定され、
前記第１の情報処理装置と前記第２の情報処理装置との間に床が設けられ、
前記スクリーン部材が、前記第１の情報処理装置の下部と前記床のいずれかに留められた端部を有することを特徴とする請求項５に記載のシステム。
【請求項７】
前記スクリーン部材の全部又は一部が透明であることを特徴とする請求項１乃至請求項６のいずれか１項に記載のシステム。
【請求項８】
前記スクリーン部材の上部と下部は不透明であり、該上部と該下部の間における前記スクリーン部材の一部領域が透明であることを特徴とする請求項７に記載のシステム。
【請求項９】
排気口同士が対向し、又は吸気口同士が対向する第１の情報処理装置及び第２の情報処理装置と、
前記第１の情報処理装置の上部と前記第２の情報処理装置の上部との間に展開されたスクリーン部材と、
前記第１の情報処理装置の前記上部と前記第２の情報処理装置の前記上部のいずれかに固定され、前記スクリーン部材を収納する収納部と、
を有するシステム。
【請求項１０】
吸気口を備えた第１の情報処理装置と排気口を備えた第２の情報処理装置との間に展開され、一方の表面が前記排気口に対向し、他方の表面が前記吸気口に対向するスクリーン部材と、
前記スクリーン部材を収納する収納部と、
を有するスクリーンユニット。
【請求項１１】
第１の装置と、
第２の装置と、
前記第１の装置の排気側と前記第２の装置の吸気側との間に張られることで、前記第１の装置の排気側から排気される気体が前記第２の装置の吸気側から吸気されることを阻害するスクリーン部材が巻き回されて収納された収納部とを備え、
前記収納部は、前記第１の装置又は前記第２の装置のいずれかに取り付けられた、
ことを特徴とするシステム。
【請求項１２】
第１の装置の排気側に吸気側が配置された第２の装置の上部に取り付け可能であって、前記第１の装置の排気側と前記第２の装置の吸気側の間に張り出されることで、前記第１の装置の排気が前記第２の装置の吸気として取り込まれることを阻害可能なスクリーン部材を収納する収納部を備え、
前記スクリーン部材は、前記第１の装置と前記第２の装置との間の床面又は前記第１の装置の下部に対して固定される留め部材を備えた、
ことを特徴とするスクリーンユニット。
【請求項１３】
第１の装置の排気側の上部に取り付け可能であって、前記第１の装置の排気側と第２の装置の吸気側の間に張り出されることで、前記第１の装置の排気が前記第２の装置の吸気として取り込まれることを阻害可能なスクリーン部材を収納する収納部を備え、
前記スクリーン部材は、前記第１の装置と前記第２の装置との間の床面又は前記第２の装置の下部に対して固定される留め部材を備えた、
ことを特徴とするスクリーンユニット。
【請求項１４】
第１の装置の排気側の下部に取り付け可能であって、前記第１の装置の排気側と第２の装置の吸気側の間に張り出されることで、前記第１の装置の排気が前記第２の装置の吸気として取り込まれることを阻害可能なスクリーン部材を収納する収納部を備え、
前記スクリーン部材は、前記第２の装置の上部に固定される留め部材を備えた、
ことを特徴とするスクリーンユニット。
【請求項１５】
第１の装置の排気側に吸気側が配置された第２の装置の下部に取り付け可能であって、前記第１の装置の排気側と第２の装置の吸気側の間に張り出されることで、前記第１の装置の排気が前記第２の装置の吸気として取り込まれることを阻害可能なスクリーン部材を収納する収納部を備え、
前記スクリーン部材は、前記第１の装置の上部に固定される留め部材を備えた、
ことを特徴とするスクリーンユニット。
【請求項１６】
第１の装置と、
第２の装置と、
前記第１の装置の排気側の上部と前記第２の装置の排気側の上部との間、又は、前記第１の装置の吸気側の上部と前記第２の装置の吸気側の上部との間に張られることで、前記第１の装置と前記第２の装置の双方からの排気が、前記第１の装置と前記第２の装置の吸気側に吸気されることを阻害するスクリーン部材が巻き回されて収納された収納部とを備え、
前記収納部は、前記第１の装置又は前記第２の装置のいずれかに取り付けられた、
ことを特徴とするシステム。
【発明の詳細な説明】
【技術分野】
【０００１】
本発明は、システム及びスクリーンユニットに関する。
【背景技術】
【０００２】
サーバ等の電子機器で情報処理を行うデータセンタにおいては、複数の電子機器を収容したラック等の情報処理装置が多数設置される。各情報処理装置は、データセンタの室内の空気を吸気して電子機器を空冷し、電子機器により暖められた排気流を室内に排気する。
【０００３】
但し、暖かな排気流が別の情報処理装置に吸気されると、その情報処理装置内の電子機器が冷却不足になるおそれがある。排気流が情報処理装置に吸気されるのを防止するために情報処理装置を仕切体で囲う技術もあるが、この技術は大掛かりで設置するのに多大な労力やコストを要してしまう。
【０００４】
また、各情報処理装置の配置を変更することにより情報処理装置が排気流を吸気するのを防止することも考えられるが、情報処理装置の配置を変更するのにも大きな労力が必要となる。
【０００５】
よって、なるべく簡便かつ低コストでデータセンタの気流をコントロールすることにより情報処理装置を効率的に冷却するのが好ましい。
【先行技術文献】
【特許文献】
【０００６】
【特許文献１】特開２０１０−２５４５１号公報
【特許文献２】特開２０１２−８４７００号公報
【特許文献３】特開平１１−２１７９８１号公報
【特許文献４】特開２００４−１６２４９２号公報
【発明の概要】
【発明が解決しようとする課題】
【０００７】
システム及びスクリーンユニットにおいて、簡便かつ安価な方法で室内の気流の流れをコントロールして情報処理装置を効率的に冷却することを目的とする。
【課題を解決するための手段】
【０００８】
以下の開示の一観点によれば、吸気口を備えた第１の情報処理装置と、排気口を備えた第２の情報処理装置と、前記第１の情報処理装置と前記第２の情報処理装置との間に展開され、一方の表面が前記排気口に対向し、他方の表面が前記吸気口に対向したスクリーン部材と、前記スクリーン部材を収納する収納部と、を有するシステムが提供される。
【０００９】
また、その開示の他の観点によれば、排気口同士が対向し、又は吸気口同士が対向する第１の情報処理装置及び第２の情報処理装置と、前記第１の情報処理装置の上部と前記第２の情報処理装置の上部との間に展開されたスクリーン部材と、前記第１の情報処理装置の前記上部と前記第２の情報処理装置の前記上部のいずれかに固定され、前記スクリーン部材を収納する収納部とを有するシステムが提供される。
【００１０】
そして、その開示の別の観点によれば、吸気口を備えた第１の情報処理装置と排気口を備えた第２の情報処理装置との間に展開され、一方の表面が前記排気口に対向し、他方の表面が前記吸気口に対向するスクリーン部材と、前記スクリーン部材を収納する収納部とを有するスクリーンユニットが提供される。
【００１１】
その開示の更に別の観点によれば、第１の装置と、第２の装置と、前記第１の装置の排気側と前記第２の装置の吸気側との間に張られることで、前記第１の装置の排気側から排気される気体が前記第２の装置の吸気側から吸気されることを阻害するスクリーン部材が巻き回されて収納された収納部とを備え、前記収納部は、前記第１の装置又は前記第２の装置のいずれかに取り付けられたことを特徴とするシステムが提供される。
【００１２】
その開示の更に別の観点によれば、第１の装置の排気側に吸気側が配置された第２の装置の上部に取り付け可能であって、前記第１の装置の排気側と前記第２の装置の吸気側の間に張り出されることで、前記第１の装置の排気が前記第２の装置の吸気として取り込まれることを阻害可能なスクリーン部材を収納する収納部を備え、前記スクリーン部材は、前記第１の装置と前記第２の装置との間の床面又は前記第１の装置の下部に対して固定される留め部材を備えたことを特徴とするスクリーンユニットが提供される。
【００１３】
その開示の更に別の観点によれば、第１の装置の排気側の上部に取り付け可能であって、前記第１の装置の排気側と第２の装置の吸気側の間に張り出されることで、前記第１の装置の排気が前記第２の装置の吸気として取り込まれることを阻害可能なスクリーン部材を収納する収納部を備え、前記スクリーン部材は、前記第１の装置と前記第２の装置との間の床面又は前記第２の装置の下部に対して固定される留め部材を備えたことを特徴とするスクリーンユニットが提供される。
【００１４】
その開示の更に別の観点によれば、第１の装置の排気側の下部に取り付け可能であって、前記第１の装置の排気側と第２の装置の吸気側の間に張り出されることで、前記第１の装置の排気が前記第２の装置の吸気として取り込まれることを阻害可能なスクリーン部材を収納する収納部を備え、前記スクリーン部材は、前記第２の装置の上部に固定される留め部材を備えたことを特徴とするスクリーンユニットが提供される。
【００１５】
その開示の更に別の観点によれば、第１の装置の排気側に吸気側が配置された第２の装置の下部に取り付け可能であって、前記第１の装置の排気側と第２の装置の吸気側の間に張り出されることで、前記第１の装置の排気が前記第２の装置の吸気として取り込まれることを阻害可能なスクリーン部材を収納する収納部を備え、前記スクリーン部材は、前記第１の装置の上部に固定される留め部材を備えたことを特徴とするスクリーンユニットが提供される。
【００１６】
その開示の更に別の観点によれば、第１の装置と、第２の装置と、前記第１の装置の排気側の上部と前記第２の装置の排気側の上部との間、又は、前記第１の装置の吸気側の上部と前記第２の装置の吸気側の上部との間に張られることで、前記第１の装置と前記第２の装置の双方からの排気が、前記第１の装置と前記第２の装置の吸気側に吸気されることを阻害するスクリーン部材が巻き回されて収納された収納部とを備え、前記収納部は、前記第１の装置又は前記第２の装置のいずれかに取り付けられたことを特徴とするシステムが提供される。
【発明の効果】
【００１７】
以下の開示によれば、排気口から出る排気流と吸気口に吸気される冷却風とをスクリーン部材で分離することができる。そのため、第１の情報処理装置が暖かな排気流を吸気するのを抑制でき、第１の情報処理装置が冷却不足になるのを防止できる。
【００１８】
また、スクリーン部材は展開するのが簡単でありそのコストも安いため、第１の情報処理装置や第２の情報処理装置が置かれた室内の気流を簡便かつ安価にコントロールすることができる。
【図面の簡単な説明】
【００１９】
【図１】図１は、第１例に係るデータセンタについて示す断面図である。
【図２】図２は、第２例に係るデータセンタについて示す断面図である。
【図３】図３は、第３例に係るデータセンタについて示す断面図である。
【図４】図４は、各実施形態で使用するスクリーンユニットの斜視図である。
【図５】図５は、各実施形態で使用するスクリーンユニットの収納部の一部拡大断面図である。
【図６】図６は、第１実施形態に係るシステムの断面図である。
【図７】図７は、第１実施形態における第１の情報処理装置の上面の拡大断面図である。
【図８】図８（ａ）は、第１実施形態において他方の表面を内側にしてスクリーン部材を巻き取る場合の断面図であり、図８（ｂ）は、第１実施形態において他方の表面を外側にしてスクリーン部材を巻き取る場合の断面図である。
【図９】図９は、第１実施形態の変形例（その１）について説明するための断面図である。
【図１０】図１０は、第１実施形態の変形例（その２）について説明するための断面図である。
【図１１】図１１は、第１実施形態の変形例（その３）について説明するための断面図である。
【図１２】図１２は、第１実施形態における調査結果について示すデータセンタの平面図（その１）である。
【図１３】図１３は、第１実施形態における調査結果について示すデータセンタの平面図（その２）である。
【図１４】図１４は、第１実施形態における調査結果について示すデータセンタの平面図（その２）である。
【図１５】図１５は、第２実施形態に係るシステムの断面図である。
【図１６】図１６は、第２実施形態に係るシステムの平面図である。
【図１７】図１７は、第２実施形態の変形例（その１）について説明するための断面図である。
【図１８】図１８は、第２実施形態の変形例（その２）について説明するための断面図である。
【図１９】図１９は、第２実施形態の変形例（その３）について説明するための断面図である。
【図２０】図２０は、第３実施形態に係るスクリーンユニットと各情報処理装置の斜視図である。
【図２１】図２１は、第３実施形態において、スクリーンユニットの一部領域のみを透明にした場合の斜視図である。
【図２２】図２２は、第４実施形態に係るシステムの断面図（その１）である。
【図２３】図２３は、第４実施形態に係るシステムの断面図（その２）である。
【発明を実施するための最良の形態】
【００２０】
本実施形態の説明に先立ち、本願発明者が行った検討結果について説明する。
【００２１】
データセンタにおける冷却方法には様々なタイプのものがある。以下に、各冷却方法について説明する。
【００２２】
図１は、第１例に係るデータセンタについて示す断面図である。
【００２３】
このデータセンタ１は、床４と、その上に設置された第１及び第２の情報処理装置５、６とを有する。
【００２４】
床４の下には冷却風Cが流通する通風路３が形成されており、床４に設けられた吹出口４ａを介して冷却風Cがデータセンタ１内に供給される。
【００２５】
第１及び第２の情報処理装置５、６は、サーバ等の複数の電子機器７を収容したラックであり、それぞれ吸気口５ａ、６ａと排気口５ｂ、６ｂとを有する。上記した冷却風Cは吸気口５ａ、６ａから各情報処理装置５、６内に取り込まれて電子機器７を冷却した後、暖かな排気流Eとなって排気口５ｂ、６ｂから排気される。
【００２６】
第１及び第２の情報処理装置５、６をどのように配置するかはデータセンタ１の設計思想によって決定される。この例では、冷却風Cや排気流Eの流れについて特に意識せずに、第１の情報処理装置５の吸気口５ａと第２の情報処理装置６の排気口６ｂとを互いに対向させる。
【００２７】
このようにすると、排気口６ｂから出た排気流Eが吸気口５ａに取り込まれてしまい、第１の情報処理装置５内の電子機器７が冷却不足となってしまう。
【００２８】
図２は、第２例に係るデータセンタについて示す断面図である。
【００２９】
なお、図２において図１で説明したのと同じ要素には図１におけるのと同じ符号を付し、以下ではその説明を省略する。
【００３０】
図２に示すデータセンタ１０においては、冷却風Cを供給するための吹出口１１ａを天井１１に設け、その吹出口１１ａを介して冷却風Cをデータセンタ１０内に供給する。
【００３１】
この例でも第１及び第２の情報処理装置５、６の配置はデータセンタ１０の設計思想によって決定され、例えば、図１と同様に第１の情報処理装置５の吸気口５ａと第２の情報処理装置６の排気口６ｂとを互いに対向させる。
【００３２】
その結果、図１で説明したのと同様に、排気口６ｂから出た排気流Eが吸気口５ａに取り込まれ、第１の情報処理装置５内の電子機器７が冷却不足となる。
【００３３】
このような電子機器７の冷却不足を防止するために、図１と図２の各例において第１の情報処理装置５や第２の情報処理装置６の配置を変更し、排気口６ｂから出た排気流Eが吸気口５ａに取り込まれないようにすることも考えられる。
【００３４】
しかし、既に設置されている各情報処理装置５、６の配置を変更するには多大な労力と費用を要するため、これらの情報処理装置５、６を変更せずに、簡便で廉価な方法で排気流Eや冷却風Cの流れをコントロールするのが好ましい。
【００３５】
図３は、第３例に係るデータセンタについて示す断面図である。
【００３６】
なお、図３において、図１や図２で説明したのと同じ要素にはこれらの図におけるのと同じ符号を付し、以下ではその説明を省略する。
【００３７】
図３に示すデータセンタ１５においては、第１の情報処理装置５と第２の情報処理装置６の各々の排気口５ｂ、６ｂ同士を対向させる。なお、各情報処理装置５、６を冷却するには、図１の吹出口４ａや図２の吹出口１１ａからデータセンタ１５内に冷却風Cを導入すればよい。
【００３８】
このようにすると、各情報処理装置５、６の一方から出た排気流Eが他方に直接吸気されるのを防止でき、電子機器７の冷却不足が解消されるとも考えられる。
【００３９】
しかし、データセンタ１５内においては気流が常に循環しているとは限らず、局所的に気流が停滞することがある。特に、各情報処理装置５、６の上方の箇所でそのような気流の停滞が起き易く、当該箇所に熱だまり１６が発生することがある。
【００４０】
熱だまり１６は、周囲よりも温度が高い空気が溜まることにより生じるものであり、その空気が各情報処理装置５、６の吸気口５ａ、６ａから吸気されると電子機器７が冷却不足になるおそれがある。
【００４１】
以下、本実施形態について説明する。
【００４２】
（第１実施形態）
図４は、データセンタ内の気流をコントロールするために本実施形態で使用するスクリーンユニットの斜視図である。
【００４３】
このスクリーンユニット３０は、長尺状のスクリーン部材３１と、そのスクリーン部材３１を収容する収納部３２とを有する。
【００４４】
収納部３２は、パイプ３３とこれを支持するフレーム３４とを有しており、パイプ３３がその長手方向を軸にして回転することにより、パイプ３３の円筒面にスクリーン部材３１が巻き回されて収納される。
【００４５】
スクリーン部材３１は、その一端がパイプ３３に固定され、他端に棒３５が設けられる。スクリーン部材３１のサイズは特に限定されず、本実施形態ではスクリーン部材３１の幅を約７０cmとし、その長さを約２４０cmとする。
【００４６】
棒３５は、スクリーン部材３１の短手方向Dに延在することでスクリーン部材３１の張りを維持する機能を有する。
【００４７】
また、棒３５には、データセンタの床等にスクリーン部材３１の端部３１ｘを留めるための留め部材３６が設けられる。留め部材３６は、床等に予め敷設された受け具４５に脱着自在に取り付けられ、その受け具４５に留め部材３６を固定することでスクリーン部材３１が展開された状態を維持することができる。
【００４８】
なお、留め部材３６や受け具４５としては、例えば、磁石、マジックテープ（登録商標）、及びフック等を採用し得る。
【００４９】
更に、スクリーン部材３１の生地は、収納部３２で巻き取りが可能な生地であれば特に限定されず、本実施形態では白色のポリエステル地のスクリーン部材３１を用いる。また、白色以外のスクリーン部材３１を用いてデータセンタ内の色彩をコーディネートしてもよい。
【００５０】
図５は、収納部３２の一部拡大断面図である。
【００５１】
図５に示すように、フレーム３４の内側面３４ａには棒２８が固定される。そして、パイプ３３の端部には、棒２８が入る大きさの開口３３ｂが設けられ、その開口３３ｂに棒２８が挿入される。
【００５２】
更に、その棒２８の外周面２８ａとパイプ３３の内周面３３ａの各々にはスプリング３７が接続される。
【００５３】
スプリング３７は、パイプ３３を回転させてスクリーン部材３１（図４参照）を張り出すときに捻じれることで付勢力を生ずる。これにより、パイプ３３はスクリーン部材３１を巻き取る方向に付勢され、パイプ３３に自動的にスクリーン部材３１を巻き取ることができる。
【００５４】
図６は、図１に示したデータセンタ１にこのスクリーンユニット３０を設けてなるシステムの断面図である。なお、図６において、図１に示したのと同じ要素には図１におけるのと同じ符号を付し、以下ではその説明を省略する。
【００５５】
このデータセンタ１は、床４の吹出口４ａから冷却風Cが供給されるタイプのデータセンタであって、第１の情報処理装置５と第２の情報処理装置６の各々の吸気口５ａと排気口６ｂとが対向する。
【００５６】
本実施形態では、その第１の情報処理装置５の上面５ｘにジョイントプレート３９を用いてスクリーンユニット３０を固定すると共に、鉛直方向nを基準にして上面５ｘから斜め下に向かってスクリーン部材３１を展開する。そして、スクリーン部材３１の端部は、上記の留め部材３６によって、第１の情報処理装置５と第２の情報処理装置６との間の床４に固定される。なお、床４の表面に絨毯が張られているときには、留め部材３６としてマジックテープを用いることで床４にスクリーン部材３１を固定することができるので、マジックテープ等の受け具４５（図４参照）は不要である。
【００５７】
これにより、スクリーン部材３１の二つの表面のうち、一方の表面３１ａが第２の情報処理装置６の排気口６ｂに対向し、他方の表面３１ｂが第１の情報処理装置５の吸気口５ｂに対向することになる。
【００５８】
その結果、各表面３１ａ、３１ｂによって排気流Eと冷却風Cとを分離できるようになり、排気口６ｂから出た暖かな排気流Eが吸気口５ｂに至るのを防止することが可能となる。
【００５９】
また、床４１にスクリーン部材３１を固定するため、排気流Eや冷却風Cによってスクリーン部材３１がたなびいて入館者や作業者の歩行が妨げられるのを防止できる。
【００６０】
しかも、作業者が第１の情報処理装置５のメンテナンスを行うときは、床４から留め部材３６を外すことで収納部３２にスクリーン部材３１が自動的に収容され、作業効率が極めて良い。
【００６１】
そして、何らかの要因で床４から留め部材３６が外れても、収納部３２にスクリーン部材３１が自動的に収納されるので、第１の情報処理装置５の吸気口５ａが吸気するのをスクリーン部材３１が妨げることはない。
【００６２】
更に、第１の情報処理装置５の吸気口５ｂを覆うだけの大きさのスクリーン部材３１を用いればよいので、大掛かりな装置が不要で作業性がよい。
【００６３】
なお、床４の吹出口４ａとスクリーン部材３１の位置関係は特に限定されない。但し、吹出口４ａの上方にスクリーン部材３１を設けることで、スクリーン部材３１の他方の表面３１ｂを吹出口４ａに向かせるのが好ましい。これにより、吹出口４ａから出た冷却風Cがスクリーン部材３１で第１の情報処理装置５に導入できるようになり、第１の情報処理装置５における電子機器７を冷却風Cで更に効率的に冷却できるようになる。
【００６４】
更に、スプリング３７（図５参照）によってパイプ３３にはスクリーン部材３１を巻き取る方向に付勢力が加わっているので、展開時のスクリーン部材３１には適度な張力が加わり、排気流Eや冷却風Cでスクリーン部材３１がばたつくのを抑制できる。
【００６５】
図７は、第１の情報処理装置５の上面５ｘの拡大断面図である。
【００６６】
図７に示すように、上面５ｘには、第１の情報処理装置５をクレーン等で吊り下げるためのアイボルト用の穴５ｗが予め設けられる。
【００６７】
本実施形態では、その穴５ｗとジョイントプレート３９にネジ２９を挿入すると共に、そのネジ２９にナット等の留め具３８を締め付けることにより、ジョイントプレート３９を介して収納部３２と上面５ｘとを機械的に接続する。
【００６８】
このようにアイボルト用の既存の穴５ｗを利用するため、本実施形態ではスクリーンユニット３０を取り付けるための加工を第１の情報処理装置５に施す必要がなく、第１の情報処理装置３０に簡単にスクリーンユニット３０を固定できる。
【００６９】
ここで、収納部３２におけるスクリーン部材３１の巻き取り方向には以下の二つの方向がある。
【００７０】
図８（ａ）は、他方の表面３１ｂを内側にしてスクリーン部材３１をパイプ３３で巻き取る場合の断面図である。一方、図８（ｂ）は、他方の表面３１ｂを外側にしてスクリーン部材３１をパイプ３３で巻き取る場合の断面図である。
【００７１】
本実施形態では、図８（ａ）と図８（ｂ）のどちらの方法でスクリーン部材３１を巻き取ってよい。
【００７２】
但し、図８（ｂ）の場合では、スクリーン部材３１の一方の表面３１ａを伝う排気流Eの流れがパイプ３３で阻止されて熱だまり１６が発生し、その熱だまり１６がスクリーン部材３１の横から回り込んで吸気口５ａ（図６参照）に至るおそれがある。
【００７３】
一方、図８（ａ）の場合では、スクリーン部材３１の一方の表面３１ａ側にパイプ３３が現れないので、表面３１ａに沿って排気流Eをスムーズに逃がすことができ、排気流Eが吸気口５ａに吸気されるのを防止できる。
【００７４】
本実施形態は上記に限定されない。図９〜図１１は、本実施形態の変形例について説明するための断面図である。
【００７５】
例えば、図９に示すように、留め部材３６を利用して第２の情報処理装置６の下部６ｙにスクリーン部材３１の端部を留めてもよい。
【００７６】
更に、図１０に示すように、床４に収納部３２を固定し、留め部材３６を利用して第１の情報処理装置５の上部５ｗにスクリーン部材３１の端部を留めてもよい。なお、このように床４に収納部３２を固定するのに代えて、図１１のように第２の情報処理装置６の下部６ｙに収納部３２を固定してもよい。
【００７７】
以上説明した本実施形態によれば、図６、図９〜図１１に示したように、スクリーン部材３１によって暖かな排気流Eと冷却風Cとを分離する。そのため、第１の情報処理装置５の電子機器７が暖かな排気流Eを吸気するのを阻害して、冷却風Cで電子機器７を効率的に冷却することができる。
【００７８】
しかも、図７に示したように第１の情報処理装置５にスクリーンユニット３０を簡便に取り付けることができ、またスクリーンユニット３０自身も安価であるため、簡便かつ安価に排気流Eや冷却風Cの流れをコントロールできる。
【００７９】
また、スクリーン部材３１の色をデータセンタ１や各情報処理装置５、６の色に合わせてコーディネートすることで、データセンタ１内の印象を変えることもできる。
【００８０】
本願発明者は、上記のスクリーンユニット３０によって第１の情報処理装置５の冷却効率がどの程度向上するかについて調査した。
【００８１】
図１２〜図１４は、その調査結果について示すデータセンタ１の上面図である。この調査では、第１の情報処理装置５を横方向に８台並べ、そのうちの一部の情報処理装置５の前方に上記のスクリーン部材３１を展開した。なお、以下では番号「０１」〜「０８」により各情報処理装置５を区別する。
【００８２】
図１２の調査では、吹出口４ａの正面の「０６」番とその隣の「０７」番の第１の情報処理装置５の各々の前方にスクリーン部材３１を展開した。
【００８３】
その結果、スクリーン部材３１を展開する前と比較して、「０６」番の第１の情報処理装置５の吸気口５ａの平均温度が低下することが確認できた。
【００８４】
図１３の調査では、「０６」番とその隣の「０７」番の各々の第１の情報処理装置５の前方にスクリーン部材３１を展開すると共に、これらの情報処理装置５の各々の前方の床４に吹出口４ａを設置した。
【００８５】
その結果、スクリーン部材３１を展開する前と比較して、「０６」番と「０７」番の双方の第１の情報処理装置５の吸気口５ａの平均温度が低下することが確認できた。
【００８６】
図１４の調査では、「０６」番の第１の情報処理装置５におけるスクリーン部材３１を省略した。これ以外は図１３と同じ構成である。
【００８７】
その結果、スクリーン部材３１を展開する前と比較して、「０７」番の第１の情報処理装置５の吸気口５ａの平均温度が低下することが確認できた。
【００８８】
以上の結果より、スクリーンユニット３０を設けることが、第１の情報処理装置５の吸気口５ａの温度を低下させるのに有効であることが確認できた。
【００８９】
（第２実施形態）
第１実施形態では、図６に示したように、床４の吹出口４ａからデータセンタ１内に冷却風Cを供給した。これに対し、本実施形態では、図２のように天井の吹出口から冷却風が供給されるタイプのデータセンタに第１実施形態のスクリーンユニットを適用する。
【００９０】
図１５は、図２に示したデータセンタ１０に第１実施形態のスクリーンユニット３０を設けてなるシステムの断面図である。なお、図１５において、図２と図４で説明したのと同じ要素にはこれらの図面におけるのと同じ符号を付し、以下ではその説明を省略する。
【００９１】
このデータセンタ１０は、各情報処理装置５、６の各々の上方の吹出口１１ａから冷却風Cが供給されるタイプのデータセンタであって、各情報処理装置５、６の各々の吸気口５ａと排気口６ｂとが対向する。
【００９２】
本実施形態では、第２の情報処理装置６の上面６ｘにスクリーンユニット３０の収納部３２を固定すると共に、鉛直方向nを基準にして上面６ｘから斜め下に向かってスクリーン部材３１を展開する。そして、スクリーン部材３１の端部は、第１実施形態で説明した留め部材３６によって、第１の情報処理装置５と第２の情報処理装置６との間の床４に固定する。
【００９３】
これにより、第１実施形態と同様に、スクリーン部材３１の一方の表面３１ａが第２の情報処理装置６の排気口６ｂに対向し、他方の表面３１ｂが第１の情報処理装置５の吸気口５ａに対向する。
【００９４】
よって、各表面３１ａ、３１ｂによって排気流Eと冷却風Cとを分離して、排気口６ｂから出た暖かな排気流Eが吸気口５ａに至るのを防止することが可能となる。
【００９５】
なお、天井１１の吹出口１１ａとスクリーン部材３１との位置関係は特に限定されない。但し、吹出口１１ａの下方にスクリーン部材３１を設けることで、スクリーン部材３１の他方の表面３１ｂを吹出口１１ａに向かせるのが好ましい。これにより、吹出口１１ａから出た冷却風Cがスクリーン部材３１で第１の情報処理装置５に導入されるようになり、第１の情報処理装置５における電子機器７を冷却風Cで更に効率的に冷却できるようになる。
【００９６】
なお、第２の情報処理装置６の排気口６ｂとスクリーン部材３１との間に排気流Eが停留するのを防止するために、排気口６ｂとスクリーン部材３１との間にサーキュレータ４１を設けて排気流Eを強制的に排除してもよい。
【００９７】
図１６は、この場合のデータセンタ１０の平面図である。
【００９８】
図１６に示すように、サーキュレータ４１を用いることによりスクリーン部材３１の短手方向Dに排気流Eが導かれるようになり、排気流Eの停留を防止することが可能となる。
【００９９】
本実施形態は上記に限定されない。図１７〜図１９は、本実施形態の変形例について説明するための断面図である。
【０１００】
例えば、図１７に示すように、留め部材３６を利用して第１の情報処理装置５の下部５ｙにスクリーン部材３１の端部を留めてもよい。
【０１０１】
更に、図１８に示すように、床４に収納部３２を固定し、留め部材３６を利用して第２の情報処理装置６の上部６ｗにスクリーン部材３１の端部を留めてもよい。なお、このように床４に収納部３２を固定するのに代えて、図１９のように第２の情報処理装置５の下部５ｙに収納部３２を固定してもよい。
【０１０２】
以上説明した本実施形態によれば、第１実施形態と同様に、スクリーン部材３１によって暖かな排気流Eと冷却風Cとを分離する。よって、第２の情報処理装置６から出た暖かな排気流Eを第１の情報処理装置５が吸気するのを防止して、第１の情報処理装置５の電子機器７を冷却風Cで効率的に冷却することができる。
【０１０３】
（第３実施形態）
本実施形態では、以下のようにスクリーン部材３１の全部又は一部を透明にする。
【０１０４】
図２０は、本実施形態に係るスクリーンユニット３０と各情報処理装置５、６の斜視図である。なお、図２０において、第１実施形態や第２実施形態で説明したのと同じ要素にはこれらの実施形態におけるのと同じ符号を付し、以下ではその説明を省略する。
【０１０５】
図２０の例では、スクリーン部材３１の全部を透明にする。そのスクリーン部材３１として使用し得る透明な生地としては、例えば軟質塩化ビニール地がある。
【０１０６】
このように透明にすることで、作業者がスクリーン部材３１を介して電子機器７のLED表示等のユーザインターフェイス７ａを視認することができ、ユーザインターフェイス７ａを見るためにスクリーン部材３１を収容する手間が省ける。
【０１０７】
図２１は、スクリーン部材３１の一部領域Rのみを透明にした場合の斜視図である。
【０１０８】
この例では、スクリーン部材３１の上部３１ｗと下部３１ｙを不透明にし、これらの間における一部領域Rを透明にする。不透明な上部３１ｗと下部３１ｙの生地としては白色のポリエステル地を使用し、透明な一部領域Rにおける生地としては軟質塩化ビニール地を使用して、各生地を繋ぎ合わせることで一枚のスクリーン部材３１を作製し得る。
【０１０９】
透明な生地は表面が平滑なため巻き取ったときに互いに密着し易いが、図２１のように一部領域Rのみに透明な生地を使用することで、スクリーン部材３１同士の密着を防止してスクリーン部材３１を収納部３２に巻き取らせ易くすることができる。
【０１１０】
また、このように一部領域Rのみを透明にしても、作業者５０が電子機器７のユーザインターフェイス７ａを視認することができるので、図２０の場合と同様にユーザインターフェイス７ａを見るためにスクリーン部材３１を収容する手間が省ける。
【０１１１】
なお、ユーザインターフェイス７ａを見るときの作業者５０の視線Lを遮らないように、視線Lが通る位置に一部領域Rを設けるのが好ましい。
【０１１２】
特に、このように上部３１ｗと下部３１ｙとの間に透明な一部領域Rを設ける構造では、ユーザインターフェイス７ａを見たときの視線Lの途中に一部領域Rが位置し易くなり、ユーザインターフェイス７ａの視認性が良好となる。
【０１１３】
更に、一部領域Rの幅W1をスクリーン部材３１の幅W2よりも狭くして、一部領域Rの横に不透明な生地を設ける構造では、透明な生地と不透明な生地との厚さの違いが原因で一部領域Rの横のスクリーン部材３１に段差ができてしまう。そして、その段差によって収納部３２にスクリーン部材３１を巻き取るのが難しくなるおそれがある。
【０１１４】
したがって、一部領域Rの幅W1をスクリーン部材３１の幅W2と同じにすることでスクリーン部材３１の構造をシンプルにし、収納部３２においてスクリーン部材３１を簡単に巻き取ることができるようにするのが好ましい。
【０１１５】
（第４実施形態）
本実施形態は、図３に示した熱だまりの発生を以下のように抑制する。
【０１１６】
図２２は、図３に示したデータセンタに第１実施形態のスクリーンユニット３０を設けてなるシステムの断面図である。なお、図２２において、第１実施形態や第２実施形態で説明したのと同じ要素にはこれらの図面におけるのと同じ符号を付し、以下ではその説明を省略する。
【０１１７】
このデータセンタ１５においては、第１の情報処理装置５と第２の情報処理装置６の各々の排気口５ｂ、６ｂ同士を対向させる。各情報処理装置５、６を冷却する方法は特に限定されず、床４の吹出口４ａ（図１参照）や天井１１の吹出口１１ａ（図２参照）からデータセンタ１５に冷却風Cを供給して各情報処理装置５、６を冷却すればよい。
【０１１８】
本実施形態では、第１の情報処理装置５の上面５ｘにスクリーンユニット３０の収納部３２を固定する。そして、その収納部３２から第２の情報処理装置６の上面６ｘに向かってスクリーン部材３１を展開し、留め部材３６によりスクリーン部材３１の端部を上面６ｘに固定する。
【０１１９】
これにより、各情報処理装置５、６の各々の上部の間にスクリーン部材３１が展開され、排気口５ｂ、６ｂから出た排気流Eが各情報処理装置５、６の上方に逃げるのをスクリーン部材３１で抑制できる。その結果、スクリーン部材３１の上に排気流Eの熱だまりが発生するのを防止して、その熱だまりが吸気口５ａ、６ａから吸気されて電子機器７の冷却効率が低下するのを抑制できる。
【０１２０】
なお、スクリーン部材３１の展開の仕方は上記に限定されず、第２の情報処理装置６の上面６ｘに収納部３２を固定し、スクリーン部材３１の端部と第１の情報処理装置５の上面５ｘとを留め部材３６で固定するようにしてもよい。
【０１２１】
また、この例では各情報処理装置５、６の排気口５ｂ、６ｂ同士を対向させたが、図２３のように各情報処理装置５、６の吸気口５ａ、６ａ同士を対向させ、これらの情報処理装置５、６の各上部の間にスクリーン部材３１を展開させてもよい。
【０１２２】
このように吸気口５ａ、６ａ同士が対向している場合でも、データセンタ内の気流の停滞が原因でスクリーン部材３１の上に熱だまりが発生することがある。スクリーン部材３１を展開することで、その熱だまりが各吸気口５ａ、６ａに至るのをスクリーン部材３１で防止して、冷却風Cで各電子機器７を効率的に冷却することが可能となる。
【０１２３】
以上説明した各実施形態に関し、更に以下の付記を開示する。
【０１２４】
（付記１）  吸気口を備えた第１の情報処理装置と、
排気口を備えた第２の情報処理装置と、
前記第１の情報処理装置と前記第２の情報処理装置との間に展開され、一方の表面が前記排気口に対向し、他方の表面が前記吸気口に対向したスクリーン部材と、
前記スクリーン部材を収納する収納部と、
を有するシステム。
【０１２５】
（付記２）  前記スクリーン部材が、前記第１の情報処理装置の上部から斜め下に展開されたことを特徴とする付記１に記載のシステム。
【０１２６】
（付記３）  前記第１の情報処理装置と前記第２の情報処理装置との間に、冷却風の吹出口が設けられた床を更に有し、
前記スクリーン部材の前記他方の表面が、前記吹出口に向いたことを特徴とする付記２に記載のシステム。
【０１２７】
（付記４）  前記収納部が前記第１の情報処理装置の上部に固定され、
前記スクリーン部材が、前記第２の情報処理装置の下部と前記床のいずれかに留められた端部を有することを特徴とする付記２又は付記３に記載のシステム。
【０１２８】
（付記５）  前記端部は、磁石、マジックテープ、及びフックのいずれかにより、前記第２の情報処理装置の前記下部と前記床のいずれかに留められたことを特徴とする付記４に記載のシステム。
【０１２９】
（付記６）  前記収納部は、前記他方の表面を内側にして前記スクリーン部材を巻き取ることを特徴とする付記４に記載のシステム。
【０１３０】
（付記７）  前記収納部が、前記第２の情報処理装置の下部と前記床のいずれかに固定され、
前記スクリーン部材が、前記第１の情報処理装置の上部に留められた端部を有することを特徴とする付記３に記載のシステム。
【０１３１】
（付記８）  前記スクリーン部材が、前記第２の情報処理装置の上部から斜め下に展開されたことを特徴とする付記１に記載のシステム。
【０１３２】
（付記９）  前記収納部が前記第２の情報処理装置の上部に固定され、
前記第１の情報処理装置と前記第２の情報処理装置との間に床が設けられ、
前記スクリーン部材が、前記第１の情報処理装置の下部と前記床のいずれかに留められた端部を有することを特徴とする付記８に記載のシステム。
【０１３３】
（付記１０）  前記第１の情報処理装置と前記第２の情報処理装置との間に床が設けられ、
前記収納部が、前記第１の情報処理装置の下部と前記床のいずれかに固定され、
前記スクリーン部材が、前記第２の情報処理装置の上部に留められた端部を有することを特徴とする付記８に記載のシステム。
【０１３４】
（付記１１）  前記第１の情報処理装置と前記第２の情報処理装置の各々の上方に、冷却風の吹出口が設けられた天井を更に有し、
前記スクリーン部材の前記他方の表面が、前記吹出口に向いたことを特徴とする付記８乃至付記１０のいずれかに記載のシステム。
【０１３５】
（付記１２）  前記スクリーン部材の全部又は一部が透明であることを特徴とする付記１乃至付記１１のいずれかに記載のシステム。
【０１３６】
（付記１３）  前記スクリーン部材の上部と下部は不透明であり、該上部と該下部の間における前記スクリーン部材の一部領域が透明であることを特徴とする付記１２に記載のシステム。
【０１３７】
（付記１４）  前記一部領域の幅は、前記スクリーン部材の幅に等しいことを特徴とする付記１３に記載のシステム。
【０１３８】
（付記１５）  排気口同士が対向し、又は吸気口同士が対向する第１の情報処理装置及び第２の情報処理装置と、
前記第１の情報処理装置の上部と前記第２の情報処理装置の上部との間に展開されたスクリーン部材と、
前記第１の情報処理装置の前記上部と前記第２の情報処理装置の前記上部のいずれかに固定され、前記スクリーン部材を収納する収納部と、
を有するシステム。
【０１３９】
（付記１６）  吸気口を備えた第１の情報処理装置と排気口を備えた第２の情報処理装置との間に展開され、一方の表面が前記排気口に対向し、他方の表面が前記吸気口に対向するスクリーン部材と、
前記スクリーン部材を収納する収納部と、
を有するスクリーンユニット。
【０１４０】
（付記１７）  前記スクリーン部材の全部又は一部が透明であることを特徴とする付記１６に記載のスクリーンユニット。
【０１４１】
（付記１８）  前記スクリーン部材の端部に、該端部を床に留める留め部材が設けられたことを特徴とする付記１６又は付記１７に記載のスクリーンユニット。
【０１４２】
（付記１９）  前記留め部材は、磁石、マジックテープ、及びフックのいずれかであることを特徴とする付記１８に記載のスクリーンユニット。
【０１４３】
（付記２０）  排気口同士が対向し、又は吸気口同士が対向する第１の情報処理装置及び第２の情報処理装置の各々の上部の間に展開されるスクリーン部材と、
前記第１の情報処理装置の前記上部と前記第２の情報処理装置の前記上部のいずれかに固定され、前記スクリーン部材を収納する収納部と、
を有するスクリーンユニット。
【０１４４】
（付記２１）  第１の装置と、
第２の装置と、
前記第１の装置の排気側と前記第２の装置の吸気側との間に張られることで、前記第１の装置の排気側から排気される気体が前記第２の装置の吸気側から吸気されることを阻害するスクリーン部材が巻き回されて収納された収納部とを備え、
前記収納部は、前記第１の装置又は前記第２の装置のいずれかに取り付けられた、
ことを特徴とするシステム。
【０１４５】
（付記２２）  第１の装置の排気側に吸気側が配置された第２の装置の上部に取り付け可能であって、前記第１の装置の排気側と前記第２の装置の吸気側の間に張り出されることで、前記第１の装置の排気が前記第２の装置の吸気として取り込まれることを阻害可能なスクリーン部材を収納する収納部を備え、
前記スクリーン部材は、前記第１の装置と前記第２の装置との間の床面又は前記第１の装置の下部に対して固定される留め部材を備えた、
ことを特徴とするスクリーンユニット。
【０１４６】
（付記２３）  第１の装置の排気側の上部に取り付け可能であって、前記第１の装置の排気側と第２の装置の吸気側の間に張り出されることで、前記第１の装置の排気が前記第２の装置の吸気として取り込まれることを阻害可能なスクリーン部材を収納する収納部を備え、
前記スクリーン部材は、前記第１の装置と前記第２の装置との間の床面又は前記第２の装置の下部に対して固定される留め部材を備えた、
ことを特徴とするスクリーンユニット。
【０１４７】
（付記２４）  第１の装置の排気側の下部に取り付け可能であって、前記第１の装置の排気側と第２の装置の吸気側の間に張り出されることで、前記第１の装置の排気が前記第２の装置の吸気として取り込まれることを阻害可能なスクリーン部材を収納する収納部を備え、
前記スクリーン部材は、前記第２の装置の上部に固定される留め部材を備えた、
ことを特徴とするスクリーンユニット。
【０１４８】
（付記２５）  第１の装置の排気側に吸気側が配置された第２の装置の下部に取り付け可能であって、前記第１の装置の排気側と第２の装置の吸気側の間に張り出されることで、前記第１の装置の排気が前記第２の装置の吸気として取り込まれることを阻害可能なスクリーン部材を収納する収納部を備え、
前記スクリーン部材は、前記第１の装置の上部に固定される留め部材を備えた、
ことを特徴とするスクリーンユニット。
【０１４９】
（付記２６）  第１の装置と、
第２の装置と、
前記第１の装置の排気側の上部と前記第２の装置の排気側の上部との間、又は、前記第１の装置の吸気側の上部と前記第２の装置の吸気側の上部との間に張られることで、前記第１の装置と前記第２の装置の双方からの排気が、前記第１の装置と前記第２の装置の吸気側に吸気されることを阻害するスクリーン部材が巻き回されて収納された収納部とを備え、
前記収納部は、前記第１の装置又は前記第２の装置のいずれかに取り付けられた、
ことを特徴とするシステム。
【符号の説明】
【０１５０】
１、１０、１５…データセンタ、３…通風路、４…床、４ａ…吹出口、５…第１の情報処理装置、５ａ、６ａ…吸気口、５ｂ、６ｂ…排気口、５ｘ、６ｘ…上面、５ｙ、６ｙ…下部、５ｗ…穴、６…第２の情報処理装置、７…電子機器、１１…天井、１１ａ…吹出口、１６…熱だまり、２８…棒、２８ａ…外周面、２９…ネジ、３０…スクリーンユニット、３１…スクリーン部材、３１ａ…一方の表面、３１ｂ…他方の表面、３１ｘ…端部、３１ｙ…下部、３１ｗ…上部、３２…収納部、３３…パイプ、３３ａ…内周面、３３ｂ…開口、３４…フレーム、３４ａ…内側面、３５…棒、３６…留め部材、３７…スプリング、３８…留め具、３９…ジョイントプレート、４１…サーキュレータ、４５…受け具。
【図１】
2014119961.tif 000003
【図２】
2014119961.tif 000004
【図３】
2014119961.tif 000005
【図４】
2014119961.tif 000006
【図５】
2014119961.tif 000007
【図６】
2014119961.tif 000008
【図７】
2014119961.tif 000009
【図８】
2014119961.tif 000010
【図９】
2014119961.tif 000011
【図１０】
2014119961.tif 000012
【図１１】
2014119961.tif 000013
【図１２】
2014119961.tif 000014
【図１３】
2014119961.tif 000015
【図１４】
2014119961.tif 000016
【図１５】
2014119961.tif 000017
【図１６】
2014119961.tif 000018
【図１７】
2014119961.tif 000019
【図１８】
2014119961.tif 000020
【図１９】
2014119961.tif 000021
【図２０】
2014119961.tif 000022
【図２１】
2014119961.tif 000023
【図２２】
2014119961.tif 000024
【図２３】
2014119961.tif 000025